(57)【特許請求の範囲】
【請求項１】
電動室及びエア圧縮室が設けられた本体と、前記本体内に往復動可能に装着されて前記エア圧縮室内の容積を変化させる往復動部材と、前記電動室内に装着されて前記往復動部材を往復駆動させる電磁式駆動手段と、前記エア圧縮室に接続されたエア吸込用一方向弁及びエア吐出用一方向弁と、前記エア吐出用一方向弁を介して前記エア圧縮室に接続されたエアタンクを備える電磁往復動式エアポンプであって、
前記本体は左右に分割された一対の分割ケースを有し、前記分割ケースにはこれら分割ケースが結合される方向に延びる隔壁と壁とが設けられ、
前記分割ケースを結合することにより、前記隔壁によって前記電動室とエアタンクとが仕切られると共に前記壁によって前記エアタンク内に複数のエア室とこれらエア室を連通させる小通路からなる消音室が形成されることを特徴とする電磁往復動式エアポンプ。
【請求項２】
前記分割ケースは前記往復動部材の往復動方向に結合されると共に、前記電動室及び消音室は前記往復動部材の往復方向と交差する方向に配列されていることを特徴とする請求項１に記載の電磁往復動式エアポンプ。
【発明の詳細な説明】
【０００１】
【産業上の利用分野】
この発明は、エア圧縮室から間欠的に吐出される脈動圧縮エアを一時的に貯溜して平滑するエアタンクが設けられた電磁往復動式エアポンプに関するものである。
【０００２】
【従来の技術】
この種の電磁往復動式エアポンプとしては、図１２に示した様に、ポンプ本体１及びポンプ本体１で圧縮されたエアを貯溜するエアタンク２を備えるものが考えられている。このポンプ本体１は樹脂製のケース本体３を備え、エアタンク２はアルミ合金等から形成されていると共にケース本体3に図示しないボルト等で固定されている。
【０００３】
ケース本体３は、左右両端が開口する筺体４と、筺体４に左右端に取り付けられて左右端を閉成する副筺体５，５と、各副筺体５の外端に取り付けられた蓋体６，７から構成されている。そして、副筺体５と蓋体６との間にはエア吸込室８が形成され、副筺体５と蓋体７との間にはエア吐出室９が形成されている。
【０００４】
また、ポンプ本体１は、筺体４の左右両端と副筺体５，５との間に周縁部が挟持されたダイヤフラム１０，１０を備えている。このダイヤフラム１０，１０と筺体４との間には電動室１１が形成され、ダイヤフラム１０，１０と副筺体５，５との間にはエア圧縮室Ａ，Ｂが形成されている。この電動室１１は筺体４及び副筺体５に形成したエア吸込通路１２，１３を介してエア吸込室８に連通させられ、エア吐出室９はゴムチューブ等からなるエアホース９ａを介してエアタンク２に接続されている。
【０００５】
そして、電動室１１の上部には筺体４に形成した吸気口１４が形成され、吸気口１４にはエア吸込ホース１５が接続されている。しかも、副筺体５，５には、エア圧縮室Ａ，Ｂと吸込室８とを接続するエア吸込用一方向弁１６と、エア圧縮室Ａ，Ｂと吐出室９とを接続するエア吐出用一方向弁１７が設けられている。
【０００６】
このエア吸込用一方向弁１６は、副筺体５，５に穿設されたエア吸込口５ａと、副筺体５，５のエア圧縮室Ａ，Ｂ側に取り付けられてエア吸込口５ａの開閉を行うリード弁１８から構成されている。また、エア吐出用一方向弁１７は、副筺体５，５に穿設されたエア吐出口５ｂと、副筺体５，５の吐出室９側に取り付けられてエア吐出口５ｂの開閉を行うリード弁１９から構成されている。
【０００７】
更に、ポンプ本体１は電動室１１内に配設された電磁式駆動手段２０を有する。この電磁式駆動手段２０は、両端部がダイヤフラム１０，１０に取り付けられた薄板状の振動子２１と、振動子２１に取り付けられた永久磁石２２，２２と、振動子２１に近接して配設された積層コア２３，２３と、積層コア２３，２３に捲回保持されたコイル２４，２４を有する。
【０００８】
この様な構成では、コイル２４，２４に交流電圧を印加することにより、コイル２４，２４の周囲に交番磁界（Ｎ極，Ｓ極）が発生して、振動子２１が左右に往復駆動させられる。これにより、左右のエア圧縮室Ａ，Ｂ内の容積が交互に拡大・縮小させられる。
【０００９】
そして、エア圧縮室Ａ，Ｂの容積拡大時には、エア吐出用一方向弁１７が閉じると共に、エア吸込用一方向弁１６が開いて、大気がエア吸込ホース１５，電動室１１，エア吸込通路１２，１３，エア吸込室８，エア吸込用一方向弁１６を介してエア圧縮室Ａ，Ｂに吸い込まれる。一方、エア圧縮室Ａ，Ｂの容積縮小時には、エア吐出用一方向弁１７が開くと共に、エア吸込用一方向弁１６が閉じて、エア圧縮室Ａ，Ｂ内のエアが圧縮されながらエア吐出用一方向弁１７，エアホース９ａを介してエアタンク２内に吐出される。このエアタンク２内の圧縮エアは、エアタンク２に設けたエア吐出口２ａから例えばエアマッサージ器のエアバック等に供給される。
【００１０】
【発明が解決しようとする課題】
しかしながら、上述した電磁往復動式エアポンプでは、エアタンク２をポンプ本体１とは異なる材料から別体に形成して、このエアタンク２をポンプ本体１にボルト等で固定していたために、このエアタンク２をポンプ本体１に結合するためのボルト取付部等が必要となり、大型になるという問題があると共に、部品点数が増加する。
【００１１】
また、エア圧縮室Ａ，Ｂ内で圧縮された圧縮エアがエア吐出用一方向弁１７，エア吐出室９，エアホース９ａを介してエアタンク２内に吐出される際に、ポンプ内の電磁駆動手段による往復動部材の駆動音及びエアタンクに供給されるエア流の脈動音等の騒音がエアタンクを介して外部に洩れるという問題がある。
【００１２】
更に、エアホース９ａを介してエア吐出室９とエアタンク２を接続しているので、電磁往復動式エアポンプの組立に際して、エアホース９ａの一端部に副筺体５の接続筒部５ｃを圧入すると共に、エアホース９ａの他端部をエアタンク２の接続孔２ｂに圧入するという作業が必要となり、組付に時間と手間が多くかかるという問題があった。
【００１３】
そこで、この発明の第１の目的は、部品点数を従来よりも少なくできると共に全体を小型にできる電磁往復動式エアポンプを提供することにある。
【００１４】
また、この発明の第２の目的は、エア流と共にエアタンクに案内される内部の騒音を吸収可能な電磁往復動式エアポンプを提供することにある。
【００１５】
更に、この発明の第３の目的は、全体の組付作業性のよい電磁往復動式エアポンプを提供することにある。
【００１６】
【課題を解決するための手段】
この目的を達成するために、請求項１の発明は、電動室及びエア圧縮室が設けられた本体と、前記本体内に往復動可能に装着されて前記エア圧縮室内の容積を変化させる往復動部材と、前記電動室内に装着されて前記往復動部材を往復駆動させる電磁式駆動手段と、前記エア圧縮室に接続されたエア吸込用一方向弁及びエア吐出用一方向弁と、前記エア吐出用一方向弁を介して前記エア圧縮室に接続されたエアタンクを備える電磁往復動式エアポンプであって、  前記本体は左右に分割された一対の分割ケースを有し、前記分割ケースにはこれら分割ケースが結合される方向に延びる隔壁と壁とが設けられ、前記分割ケースを結合することにより、前記隔壁によって前記電動室とエアタンクとが仕切られると共に前記壁によって前記エアタンク内に複数のエア室とこれらエア室を連通させる小通路からなる消音室が形成される電磁往復動式エアポンプとしたことを特徴とする。
【００１９】
【発明の実施の形態】
以下、この発明の実施の形態を図面に基づいて説明する。
【００２０】
＜第１実施例＞
図１において、この発明にかかる電磁往復動式エアポンプのポンプ本体１はケース本体３を有する。ケース本体３は、左右両端が開口する筺体４を有する。この筺体４は左右の即ち第１，第２の分割ケース４ａ，４ａ´から構成されている。
【００２１】
＜分割ケース４ａの構造＞
分割ケース４ａは、図７(a)に示した様に、上壁４ｂ，下壁４ｃ，側壁４ｄ，４ｅを有すると共に、図８(a)に示した様に壁４ａ〜４ｅの一端を閉成する端壁４ｆを有する（図７(b)，図８(b)参照）。また、分割ケース４ａには、内部を上下に区画する隔壁４０が側壁４ｄ，４ｅ及び端壁４ｆと一体に形成されている。この隔壁４０により、分割ケース４ａ内が上凹部４１，下凹部４２に区画されている。しかも、端壁４ｆには大径の円形孔４ｇが形成されている。
【００２２】
尚、分割ケース４ａの厚肉のコーナ部Ｃ１〜Ｃ４及び隔壁４０と側壁４ｄ，４ｅとの間の厚肉の連設部Ｃ５，Ｃ６にはボルト挿通孔ＢＨ１〜ＢＨ６が形成されている。しかも、ボルト挿通孔ＢＨ１，ＢＨ２，ＢＨ５，ＢＨ６には位置決孔部ｔ１，ｔ２，ｔ３，ｔ４が形成され、側壁４ｄ，４ｅの外面には開口端側から突出し且つ側面形状がコ字状に形成された係止片Ｓ，Ｓが設けられている。
【００２３】
下凹部４２内には、内部を３つに区画する第１分離壁４３，第２分離壁４４、側壁４ｄと第１分離壁４３間に位置し且つ隔壁４０に沿って平行に延びる第１小消音室用壁４５、下壁４ｃに沿って延びる第２小消音室用壁４６、第２小消音室用壁４６と下壁４ｃの左右中央部間を連設する小隔壁４７を有する。この第１分離壁４３は隔壁４０に近接する位置まで延び、第２分離壁４４は隔壁４０に連設されている。また、第１小消音室用壁４５は一端が第１分離壁４３の上端に連設され、第２小消音室用壁４６は左右両端部近傍の部分が第１，第２分離壁４３，４４の下端に連設されている。
【００２４】
そして、この第１小消音室用壁４５の先端と連設部Ｃ５との間には第１切欠通路（第１小通路）４８が形成され、第２小消音室用壁４６の両端とコーナ部Ｃ３，Ｃ４との間には第２，第３切欠通路（第２，第３小通路）４９，４９ａが形成されている。さらに、各壁４３，４４，４５，４６等の端面は下凹部４２の開口端まですなわち下壁４ｃ、側壁４ｄ，４ｅ等の端面と同じに設定されているが、小隔壁４７は図６(a)に示した様に高さが下壁４ｃの半分程度に形成されている。
【００２５】
これにより、第２凹部４２内には、第１，第２分離壁４３，４４で区画される３つの第１凹部４２ａ，第２凹部４２ｂ，第３凹部４２ｃが形成されていると共に、第１小消音室用壁４５と隔壁４０との間に位置して第１凹部４２ａ，第２凹部４２ｂを連通させている第１小消音室用凹部４２ｄ、及び第２小消音室用壁４６と下壁４ｃとの間に位置して第２凹部４２ｂ，第３凹部４２ｃを連通させている第２小消音室用凹部４２ｅ，４２ｅが形成されている。尚、端壁４ｆには第１凹部４２ａに開口する接続孔５０が形成されている。この接続孔５０は、端壁４ｆの外面側の大径孔部５０ａと、第１凹部４２ｂ側の小径孔部５０ｂから構成されている。
【００２６】
＜分割ケース４ａ´の構造＞
図１〜図１０(b)に示した分割ケース４ａ´は構造が分割ケース４ａと略同一であるので、分割ケース４ａ´の分割ケース４ａと同一又は類似する部分には分割ケース４ａの符号にダッシュ「´」を付した符号を付してその説明を省略する。
【００２７】
図９(a)に示した様に、分割ケース４ａ´のボルト挿通孔ＢＨ１，ＢＨ２，ＢＨ５，ＢＨ６の周囲には、位置決孔部ｔ１，ｔ２，ｔ３，ｔ４に嵌合させる位置決筒部ｔＴ１，Ｔ２，Ｔ３，Ｔ４が形成されている。また、分割ケース４ａ´の側壁４ｄ´，４ｅ´の外面には、係止片Ｓを係止させる係止爪Ｒが形成されている（図９(a)〜図１０(b)参照）。
【００２８】
更に、分割ケース４ａ´の第１，第２分離壁４３´，４４´は隔壁４０´に連設され、分割ケース４ａ´の第１小消音室用壁４５´は連設部Ｃ５´に連設され、第２小消音室用壁４６´はコーナ部Ｃ３´，Ｃ４´に連設されている。これにより、分割ケース４ａ´に形成された第１，第２，第３凹部４２ａ´，４２ｂ´，４２ｃ´及び第１小消音室用凹部４２ｄ´は、壁４３´，４４´，４５´，４６´等で互いに区画されている。
【００２９】
また、分割ケース４ａ´の小隔壁４７´は、下凹部４２´の開口端まですなわち下壁４ｃ´、側壁４ｄ´，４ｅ´等の端面と同じに設定されている。これにより、第２小消音室用壁４５´と下壁４ｃ´との間には、小隔壁４７´により２つに区画された第２小消音室用凹部４２ｅ´，４２ｅ´´が形成されている。また、分割ケース４ａ´の側壁４ｅ´には、第３凹部４２ｃ´に開口する圧縮エア吐出用の接続筒部５１が形成されている（図９(a)〜図１０(b)参照）。５１ａは接続筒部５１内のエア吐出口である。
【００３０】
＜分割ケース４ａ，４ａ´の結合構造＞
上述した分割ケース４ａ，４ａ´の開口端側同士を対向させて、分割ケース４ａの位置決筒部Ｔ１〜Ｔ４を分割ケース４ａ´の位置決孔部ｔ１〜ｔ４に嵌合することで、分割ケース４ａ，４ａ´を位置決した状態で合わせることができる。また、この状態で分割ケース４ａ，４ａ´同士を完全に合わせると、分割ケース４ａの係止片Ｓが分割ケース４ａ´の係止爪Ｒに係止される。
【００３１】
そして、各ボルト挿通孔ＢＨ１，ＢＨ１´、ＢＨ２，ＢＨ２……ＢＨ６，ＢＨ６´に挿通したボルト５２にナット５３を螺着して締め付けることにより、分割ケース４ａ，４ａ´同士を固定している。
【００３２】
＜エアタンク構造＞
この様にして分割ケース４ａ，４ａ´を合わせることにより、この分割ケース４ａ，４ａ´の下凹部４２，４２´間にはエアタンク６０が形成され、このエアタンク６０内には消音室が形成されている。尚、分割ケース４ａ，４ａ´の下部間にはエアタンク６０に沿ってガスケット８０が介装されている。
【００３３】
消音室は、容積の広い第１，第２，第３大消音室（第１，第２，第３大エア室）６１，６２，６３（図５参照）と、第１小消音室（第１小エア室）７１と、第２小消音室（第２小エア室）７２と、第１，第２大消音室６１，６２と第１小消音室（第１小エア室）７１とを連通する小通路４８´と、第１小消音室７１と第２大消音室６２とを連通する第１切欠通路４８と、第２大消音室６２と第２小消音室７２とを連通させる第２切欠通路４９と、第２小消音室７２と第３大消音室６３とを連通する第３切欠通路４９ａ等から構成されている。
【００３４】
そして、この第１大消音室６１は分割ケース４ａ，４ａ´の第１凹部４２ａ，４２ａ´間に形成され、第２大消音室６２は分割ケース４ａ，４ａ´の第２凹部４２ｂ，４２ｂ´間に形成され、第３大消音室６３は分割ケース４ａ，４ａ´の第３凹部４２ｃ，４２ｃ´間に形成されている。
【００３５】
また、第１小消音室７１は分割ケース４ａ，４ａ´の第１小消音室用凹部４２ｄ，４２ｄ´間に形成され、第２小消音室７２は分割ケース４ａ，４ａ´の第２小消音室用凹部４２ｅと４２ｅ´，４２ｅ´´との間に形成されている。この第２小消音室７２は図６(b)に示した様に小隔壁４７，４７´で区画された小消音室７２ａ，７２ｂと、この小消音室７２ａ，７２ｂを連通している連通路（小通路）７２ｃから構成されている。
【００３６】
＜ポンプ部構造＞
また、ケース本体３は、分割ケース４ａ，４ａ´の外端に取り付けられて円形孔４ｇを閉成する副筺体５，５と、副筺体５，５の外端に取り付けられた蓋体６，７から構成されている。この副筺体５と蓋体６との間にはエア吸込室（エア吸込通路）８が形成され、副筺体５と蓋体７との間には連通路としてのエア吐出室（エア吐出通路）９が形成されている。
【００３７】
また、ポンプ本体１は、筺体４の左右両端と副筺体５，５との間に周縁部が挟持されたダイヤフラム（往復動部材）１０，１０を備えている。このダイヤフラム１０，１０と筺体４との間には電動室１１が形成され、ダイヤフラム１０，１０と副筺体５，５との間にはエア圧縮室Ａ，Ｂが形成されている。この電動室１１は筺体４及び副筺体５に形成したエア吸込通路１２，１３を介してエア吸込室８に連通させられている。そして、分割ケース４ａ´の側壁４ｅ´及び４ｄ´には、電動室１１に連通するエア吸込通路８４（図１(a)，図３参照）及びエア吸込通路８５（図９参照）が形成されている。このエア吸込通路８４は、エア吸込口８４ａ，エア通路８４ｂ，エア出口８４ｃを有する。
【００３８】
しかも、副筺体５，５には、エア圧縮室Ａ，Ｂと吸込室８とを接続するエア吸込用一方向弁１６と、エア圧縮室Ａ，Ｂと吐出室９とを接続するエア吐出用一方向弁１７が設けられている。このエア吸込用一方向弁１６は、副筺体５，５に穿設されたエア吸込口５ａと、副筺体５，５のエア圧縮室Ａ，Ｂ側に取り付けられてエア吸込口５ａの開閉を行うリード弁１８から構成されている。また、エア吐出用一方向弁１７は、副筺体５，５に穿設されたエア吐出口５ｂと、副筺体５，５の吐出室９側に取り付けられてエア吐出口５ｂの開閉を行うリード弁１９から構成されている。
【００３９】
更に、ポンプ本体１は電動室１１内に配設された電磁式駆動手段２０を有する。この電磁式駆動手段２０は、両端部がダイヤフラム１０，１０に取り付けられた薄板状の振動子２１と、振動子２１に取り付けられた永久磁石２２，２２と、振動子２１に近接して配設された積層コア２３，２３と、積層コア２３，２３に捲回保持されたコイル２４，２４を有する。
【００４０】
＜ポンプ部・タンク接続構造＞
副筺体５，５の下部には、図１(b)，(c)に示した様に、エア吐出室９に連通し且つ大径孔部５０ａ，５０ａ´に嵌合する筒状部５ｃが形成されていると共に、筒状部５ｃ，５ｃの周囲に位置する環状溝５ｄ，５ｄが形成されている。しかも、各副筺体５の下部には、環状溝５ｄの深さの略半分程度だけ底部から突出し、且つ先端が鋭角の環状突部５ｅが形成されている。そして、この環状溝５ｄ，５ｄに嵌合された環状シール部材８１が、副筺体５，５と分割ケース４ａ，４ａ´との間に介装されて、この部分を気密にシールしている。
【００４１】
次に、この様な構成の電磁往復動式エアポンプの作用を説明する。
【００４２】
この様な構成では、コイル２４，２４に交流電圧を印加することにより、コイル２４，２４の周囲に交番磁界（Ｎ極，Ｓ極）が発生して、振動子２１が左右に往復駆動させられる。これにより、左右のエア圧縮室Ａ，Ｂ内の容積が交互に拡大・縮小させられる。
【００４３】
そして、エア圧縮室Ａ，Ｂの容積拡大時には、エア吐出用一方向弁１７が閉じると共に、エア吸込用一方向弁１６が開いて、エア吸込通路８４及び８５，電動室１１，エア吸込通路１２，１３，エア吸込室８，エア吸込用一方向弁１６を介してエア圧縮室Ａ，Ｂに吸い込まれる。
【００４４】
一方、エア圧縮室Ａ，Ｂの容積縮小時には、エア吐出用一方向弁１７が開くと共に、エア吸込用一方向弁１６が閉じて、エア圧縮室Ａ，Ｂ内のエアが圧縮されながらエア吐出用一方向弁１７，エア吐出室９，接続孔５０等を介してエアタンク６０の第１大消音室６１内に吐出される。
【００４５】
この第１大消音室６１内に吐出された圧縮エアは、小通路４８´，第１小消音室７１，第１切欠通路（第１小通路），第２大消音室６２，第２切欠通路（第２小通路）４９，第２小消音室７２の小消音室７２ａ，第２小消音室７２の連通路（小通路）７２ｃ，第２小消音室７２の小消音室７２ｂ，第３切欠通路（第３小通路），第３大消音室６３の順に流れて、圧縮エア吐出用の筒状部５１から例えばエアマッサージ器のエアバック等に供給される。
【００４６】
この際、エア圧縮室Ａ，Ｂは、一方がエア吸入をしているときに、他方がエア圧縮をする。この様にして、エアタンク６０にはエア圧縮室Ａ，Ｂから交互に圧縮エアが脈動的に供給されて、脈動音を生ずる。また、振動子２１の左右動に伴うダイヤフラム１０，１０の振動音が発生する。この様にして生じた騒音はエア流と共にエアタンク６０内に案内される。
【００４７】
この騒音は、拡大縮小する室、即ち容積の広い第１大消音室６１，容積の小さい第１小消音室７１，容積の広い第２大消音室６２，容積の小さい第２小消音室７２（小消音室７２ａ，７２ｂ），容積の広い第３大消音室６３の順に、小通路４８´や第１〜第３切欠通路（小通路）４８，４９，４９ａ及び連通路７２ｃ（小通路）等を介して圧縮エアと共にエア吐出口５１ａ側に案内されることにより、これら各室及び通路内で騒音エネルギーの大半が吸収される。
【００４８】
＜第２実施例＞
以上説明した実施例では、筺体４を分割ケース４ａ，４ｂから構成しているが、必ずしもこれに限定されるものではなく、図１１に示した様に筺体４は一体ものでもよい。また、ホース９ａを介してエア吐出室９とエアタンク４０を接続することもできる。
【００４９】
【発明の効果】
以上説明したように、請求項１の発明は、電動室及びエア圧縮室が設けられた本体と、前記本体内に往復動可能に装着されて前記エア圧縮室内の容積を変化させる往復動部材と、前記電動室内に装着されて前記往復動部材を往復駆動させる電磁式駆動手段と、前記エア圧縮室に接続されたエア吸込用一方向弁及びエア吐出用一方向弁と、前記エア吐出用一方向弁を介して前記エア圧縮室に接続されたエアタンクを備える電磁往復動式エアポンプであって、  前記本体は左右に分割された一対の分割ケースを有し、前記分割ケースにはこれら分割ケースが結合される方向に延びる隔壁と壁とが設けられ、前記分割ケースを結合することにより、前記隔壁によって前記電動室とエアタンクとが仕切られると共に前記壁によって前記エアタンク内に複数のエア室とこれらエア室を連通させる小通路からなる消音室が形成される構成としたので、前記電動室及びエアタンクが前記本体内に形成されている構成としたので、エアタンクをタンク本体とは別体に設けた従来のものに比べて、部品点数を少なくできると共に、全体を遥かに小型にできる。
【００５０】
また、エア流と共にエアタンクに案内される内部の騒音を効果的に吸収できる。
【００５１】
更に、エア圧縮室のエア吐出用一方向弁とエアタンクを接続するホースが不要となり、全体の組付作業性を向上させることができる。
【図面の簡単な説明】
【図１】(a)はこの発明に係る電磁往復動式エアポンプの一実施例を示す断面図、(b)，(c)は(a)の要部拡大説明図である。
【図２】図１のＤ−Ｄ線に沿う断面図である。
【図３】図２を矢印Ｅ方向から見た部分破断説明図である。
【図４】(a)は図１(a)の１Ａ−１Ａ線に沿う断面図、(b)は図４(a)のＦ−Ｆ線に沿う断面図である。
【図５】図１(a)の１Ｂ−１Ｂ線に沿う断面図である。
【図６】(a)は図５のＧ−Ｇ線に沿う断面図、(b)は(a)のＨ−Ｈ線に沿う断面図である。
【図７】(a)は図１に示した左側の第１の分割ケースの右端面図、(b)は(a)の底面図である。
【図８】(a)は図１に示した左側の第１の分割ケースの左端面図、(b)は(a)の係止片の説明図である。
【図９】(a)は図１に示した右側の第２の分割ケースの左端面図、(b)は(a)の底面図である。
【図１０】(a)は図１に示した右側の第２の分割ケースの右端面図、(b)は(a)の係止爪の説明図である。
【図１１】この発明に係る電磁往復動式エアポンプの他の実施例を示す断面図である。
【図１２】従来の電磁往復動式エアポンプの一例を示す断面図である。
【符号の説明】
１１…電動室
Ａ，Ｂ…エア圧縮室
３…ケース本体
９…エア吐出室（連通路）
１０…ダイヤフラム（往復動部材）
１６…エア吸込用一方向弁
１７…エア吐出用一方向弁
２０…電磁式駆動手段
４８´…小通路
４８…第１切欠通路（小通路）
４９…第２切欠通路（小通路）
４９ａ…第３切欠通路（小通路）
６０…エアタンク
６１…第１大消音室（エア室）
６２…第２大消音室（エア室）
６３…第３大消音室（エア室）
７１…第１小消音室（エア室））
７２…第２小消音室（エア室））
７２ａ，７２ｂ…小消音室
７２ｃ…連通路（小通路）
【図１】
0003685893.tif 000002
【図２】
0003685893.tif 000003
【図３】
0003685893.tif 000004
【図４】
0003685893.tif 000005
【図５】
0003685893.tif 000006
【図６】
0003685893.tif 000007
【図７】
0003685893.tif 000008
【図８】
0003685893.tif 000009
【図９】
0003685893.tif 000010
【図１０】
0003685893.tif 000011
【図１１】
0003685893.tif 000012
【図１２】
0003685893.tif 000013